(57)【要約】【課題】  折り曲げ領域に信頼性の高い配線を有する表示装置を提供する。【解決手段】  表示装置は、表示領域ＤＡ、パッド領域ＭＴ及び折り曲げ領域ＢＡを有する絶縁基板と、複数の配線Ｗと、を備える。複数の配線Ｗは、それぞれ第１直線部Ｗ１ａ及び第２直線部Ｗ１ｂを含む複数の第１配線Ｗ１を有する。複数の第１直線部Ｗ１ａは、第１方向ｄ１に延在し、第２方向ｄ２に間隔を置いて並べられている。複数の第２直線部Ｗ２ａは、第３方向ｄ３に延在し、第４方向ｄ４に間隔を置いて並べられている。複数の第１直線部Ｗ１ａの長さは、第２方向ｄ２に次第に変化している。複数の第２直線部Ｗ１ｂの長さは、第４方向ｄ４に次第に変化している。【選択図】図５
2019159123.tif 000002
【特許請求の範囲】
【請求項１】
表示領域と、パッド領域と、前記表示領域と前記パッド領域との間に位置し第１軸に沿って延在する折り曲げ領域と、を有する絶縁基板と、
前記絶縁基板の上方に配置され前記表示領域側から前記パッド領域側まで前記折り曲げ領域を延在する複数の配線と、を備え、
前記複数の配線は、それぞれ前記表示領域側に位置した第１直線部と、前記第１直線部より前記パッド領域側に位置し前記第１直線部に直に接続された第２直線部と、を含む複数の第１配線を有し、
前記複数の第１配線の複数の第１直線部は、それぞれ前記第１軸に対して第１回転方向に鋭角である第１角度傾斜した第１方向に延在し、前記第１方向に直交する第２方向に間隔を置いて並べられ、
前記複数の第１配線の複数の第２直線部は、それぞれ前記第１軸に対して前記第１回転方向とは逆の回りの第２回転方向に鋭角である第２角度傾斜した第３方向に延在し、前記第３方向に直交する第４方向に間隔を置いて並べられ、
前記複数の第１直線部の長さは、前記第２方向に次第に変化し、
前記複数の第２直線部の長さは、前記第４方向に次第に変化し、
各々の前記第１配線において、前記第１直線部の長さが相対的に短い場合前記第２直線部の長さは相対的に長く、前記第１直線部の長さが相対的に長い場合前記第２直線部の長さは相対的に短い、
表示装置。
【請求項２】
前記第１角度及び前記第２角度は、同一の角度である、
請求項１に記載の表示装置。
【請求項３】
前記第１角度及び前記第２角度は、それぞれ４５°以上の鋭角である、
請求項１に記載の表示装置。
【請求項４】
各々の前記第１配線の前記表示領域側に位置した第１端部と前記パッド領域側に位置した第２端部とを一直線に結ぶ仮想線は、
前記第１軸に平行であり、又は、
前記第１軸に対して前記第１回転方向に前記第１角度未満傾斜し、又は、
前記第１軸に対して前記第２回転方向に前記第２角度未満傾斜している、
請求項１に記載の表示装置。
【請求項５】
前記複数の配線は、前記表示領域側から前記パッド領域側まで一直線に延在する第４配線及び第５配線の少なくとも一方の配線をさらに有し、
前記第４配線は、前記第１軸に対して前記第２回転方向に前記第２角度以上鋭角に傾斜し、前記複数の第１配線のうち最も長い前記第２直線部を有する前記第１配線に隣り合い、
前記第５配線は、前記第１軸に対して前記第１回転方向に前記第１角度以上鋭角に傾斜し、前記複数の第１配線に対して前記第４配線の反対側に位置し、前記複数の第１配線のうち最も長い前記第１直線部を有する前記第１配線に隣り合っている、
請求項１に記載の表示装置。
【請求項６】
前記複数の配線は、前記第４配線及び前記第５配線の両方を有し、
前記複数の第１配線は、前記第４配線の前記表示領域側に位置した第１端部と前記第５配線の前記パッド領域側に位置した第２端部とを通り一直線に延在する第１基準線上で、屈曲している、
請求項５に記載の表示装置。
【請求項７】
前記複数の配線は、
前記複数の配線が前記第４配線を有している場合に、前記表示領域側から前記パッド領域側まで一直線に延在する一又は複数の第６配線をさらに有し、
前記複数の配線が前記第５配線を有している場合に、前記表示領域側から前記パッド領域側まで一直線に延在する一又は複数の第７配線をさらに有し、
前記複数の第６配線は、それぞれ前記第１軸に対して前記第２回転方向に前記第２角度を超えて鋭角に傾斜し、前記第４配線に対して前記複数の第１配線の反対側に位置し、
前記複数の第７配線は、それぞれ前記第１軸に対して前記第１回転方向に前記第１角度を超えて鋭角に傾斜し、前記第５配線に対して前記複数の第１配線の反対側に位置し、
前記第４配線及び前記複数の第６配線が前記第１配線から遠ざかるほど、前記第４配線及び前記複数の第６配線の傾斜角は次第に大きくなり、
前記第５配線及び前記複数の第７配線が前記第１配線から遠ざかるほど、前記第５配線及び前記複数の第７配線の傾斜角は次第に大きくなる、
請求項５に記載の表示装置。
【請求項８】
前記複数の配線は、前記第４配線を有し、前記第５配線を有しておらず、
前記複数の配線は、それぞれ、前記表示領域側に位置した第１端部と、前記パッド領域側に位置した第２端部と、を含み、
前記複数の第１配線は、前記第４配線の前記第１端部と第２基準線と第３基準線とが交差する第１基準点とを通り一直線に延在する第４基準線上で、屈曲し、
前記第２基準線は、前記複数の第１配線のうち前記第４配線側とは反対側に位置する端の第１配線の前記第１端部を通り、前記第１軸に対して前記第１回転方向に前記第１角度傾斜し、一直線に延在し、
前記第３基準線は、前記端の第１配線の前記第２端部を通り、前記第１軸に対して前記第２回転方向に前記第２角度傾斜し、一直線に延在し、
前記端の第１配線において、前記第１直線部は前記第２基準線上を延在し、前記第２直線部は前記第３基準線上を延在している、
請求項５に記載の表示装置。
【請求項９】
前記複数の配線は、それぞれ前記表示領域側に位置した第１直線部と前記第１直線部より前記パッド領域側に位置し前記第１直線部に直に接続された第２直線部とを含む複数の第２配線と、前記複数の第１配線と前記複数の第２配線との間に位置する第３配線と、前記複数の第１配線に対して前記第３配線とは反対側に位置し前記表示領域側から前記パッド領域側まで一直線に延在する第４配線と、前記複数の第２配線に対して前記第３配線とは反対側に位置し前記表示領域側から前記パッド領域側まで一直線に延在する第５配線と、を有し、
前記複数の配線は、それぞれ、前記表示領域側に位置した第１端部と、前記パッド領域側に位置した第２端部と、を含み、
前記複数の第２配線の複数の第１直線部は、それぞれ前記第１軸に対して前記第２回転方向に第３角度傾斜した第５方向に延在し、前記第５方向に直交する第６方向に間隔を置いて並べられ、
前記複数の第２配線の複数の第２直線部は、それぞれ前記第１軸に対して前記第１回転方向に第４角度傾斜した第７方向に延在し、前記第７方向に直交する第８方向に間隔を置いて並べられ、
前記複数の第２配線において、前記複数の第１直線部の長さは前記第６方向に次第に変化し、前記複数の第２直線部の長さは前記第８方向に次第に変化し、
各々の前記第２配線において、前記第１直線部の長さが相対的に短い場合前記第２直線部の長さは相対的に長く、前記第１直線部の長さが相対的に長い場合前記第２直線部の長さは相対的に短く、
前記第４配線は、前記第１軸に対して前記第２回転方向に前記第２角度以上鋭角に傾斜し、前記複数の第１配線のうち最も長い前記第２直線部を有する前記第１配線に隣り合い、
前記第５配線は、前記第１軸に対して前記第１回転方向に前記第４角度以上鋭角に傾斜し、前記複数の第２配線のうち最も長い前記第２直線部を有する前記第２配線に隣り合っている、
請求項１に記載の表示装置。
【請求項１０】
前記複数の第１配線は、前記第４配線の前記第１端部と第５基準線と第６基準線とが交差する第２基準点とを通り一直線に延在する第７基準線上で、屈曲し、
前記複数の第２配線は、前記第５配線の前記第１端部と第８基準線と第９基準線とが交差する第３基準点とを通り一直線に延在する第１０基準線上で、屈曲し、
前記第５基準線は、前記第３配線の前記第１端部を通り、前記第１軸に対して前記第１回転方向に前記第１角度傾斜し、一直線に延在し、
前記第６基準線は、前記第３配線の前記第２端部を通り、前記第１軸に対して前記第２回転方向に前記第２角度傾斜し、一直線に延在し、
前記第８基準線は、前記第３配線の前記第１端部を通り、前記第１軸に対して前記第２回転方向に前記第３角度傾斜し、一直線に延在し、
前記第９基準線は、前記第３配線の前記第２端部を通り、前記第１軸に対して前記第１回転方向に前記第４角度傾斜し、一直線に延在し、
前記第３配線は、
前記第５基準線上を延在する第１直線部と、前記第６基準線上を延在し前記第１直線部に直に接続された第２直線部と、を有し、又は、
前記第８基準線上を延在する第１直線部と、前記第９基準線上を延在し前記第１直線部に直に接続された第２直線部と、を有している、
請求項９に記載の表示装置。
【請求項１１】
前記第３配線は、前記複数の配線の中心に位置している、
請求項９に記載の表示装置。
【請求項１２】
表示領域と、パッド領域と、前記表示領域と前記パッド領域との間に位置し第１軸に沿って延在する折り曲げ領域と、を有する絶縁基板と、
前記絶縁基板の上方に配置され前記表示領域側から前記パッド領域側まで前記折り曲げ領域を延在する複数の配線と、を備え、
前記複数の配線は、それぞれ、前記表示領域側に位置した第１直線部と前記第１直線部より前記パッド領域側に位置した第２直線部と前記第１直線部と前記第２直線部とに直に接続された第３直線部とを含む複数の第１配線と、前記パッド領域側に位置した第２直線部と前記表示領域側に位置し前記第２直線部に直に接続された第３直線部とを含む第２配線と、前記表示領域側に位置した第１直線部と前記パッド領域側に位置し前記第１直線部に直に接続された第３直線部とを含み前記複数の第１配線に対して前記第２配線の反対側に位置した第３配線と、を有し、
前記複数の第１配線及び前記第３配線の複数の第１直線部は、それぞれ前記第１軸に対して第１回転方向に鋭角である第１角度傾斜した第１方向に延在し、前記第１方向に直交する第２方向に間隔を置いて並べられ、
前記複数の第１配線及び前記第２配線の複数の第２直線部は、それぞれ前記第１軸に対して前記第１回転方向に鋭角である第２角度傾斜した第３方向に延在し、前記第３方向に直交する第４方向に間隔を置いて並べられ、
前記複数の第１配線、前記第２配線、及び前記第３配線の複数の第３直線部は、それぞれ前記第１軸に対して前記第１回転方向とは逆の回りの第２回転方向に鋭角である第３角度傾斜した第５方向に延在し、前記第５方向に直交する第６方向に間隔を置いて並べられ、
前記複数の第１直線部の長さは、前記第２方向に次第に変化し、
前記複数の第２直線部の長さは、前記第６方向に次第に変化し、
各々の前記第１配線において、前記第１直線部の長さが相対的に短い場合前記第２直線部の長さは相対的に長く、前記第１直線部の長さが相対的に長い場合前記第２直線部の長さは相対的に短い、
表示装置。
【請求項１３】
前記第１角度、前記第２角度、及び前記第３角度は、同一の角度である、
請求項１２に記載の表示装置。
【請求項１４】
前記第１角度、前記第２角度、及び前記第３角度は、それぞれ４５°以上の鋭角である、
請求項１２に記載の表示装置。
【請求項１５】
前記複数の配線は、それぞれ、前記表示領域側に位置した第１端部と、前記パッド領域側に位置した第２端部と、を含み、
前記第２配線は、前記第２配線の前記第３直線部と前記第２直線部との接続部で屈曲し、
前記第３配線は、前記第３配線の前記第３直線部と前記第１直線部との接続部で屈曲し、
前記複数の第１配線は、
前記第２配線の前記第１端部と前記第３配線の前記第１直線部と前記第３直線部との前記接続部とを通り一直線に延在する第１基準線上と、
前記第３配線の前記第２端部と前記第２配線の前記第２直線部と前記第３直線部との前記接続部とを通り一直線に延在する第２基準線上とで、屈曲している、
請求項１２に記載の表示装置。
【請求項１６】
各々の前記第１配線、前記第２配線、及び前記第３配線の前記表示領域側に位置した第１端部と前記パッド領域側に位置した第２端部とを一直線に結ぶ仮想線は、
前記第１軸に平行である、
請求項１２に記載の表示装置。
【請求項１７】
前記複数の配線は、複数の配線群を前記第１軸に平行な方向に並べて構成され、
各々の前記配線群は、前記複数の第１配線、前記第２配線、及び前記第３配線を含んでいる、
請求項１６に記載の表示装置。
【請求項１８】
前記折り曲げ領域は、前記第１軸に直交する折り曲げ軸を有し、前記折り曲げ軸を基準に折り曲げられる、
請求項１又は１２に記載の表示装置。
【請求項１９】
前記複数の配線は、それぞれ、前記表示領域側に位置した第１端部と、前記パッド領域側に位置した第２端部と、を含み、
前記複数の配線の複数の第１端部の位置は、前記第１軸に直交する第２軸に平行な方向に揃い、
前記複数の配線の複数の第２端部の位置は、前記第２軸に平行な方向に揃っている、
請求項１又は１２に記載の表示装置。
【請求項２０】
前記複数の第１端部は、前記第２軸に平行な方向に等間隔に配置され、
前記複数の第２端部は、前記第２軸に平行な方向に等間隔に配置されている、
請求項１９に記載の表示装置。
【請求項２１】
前記複数の第２端部の間隔は、前記複数の第１端部の間隔より狭い、
請求項２０に記載の表示装置。
【発明の詳細な説明】
【技術分野】
【０００１】
本発明の実施形態は、表示装置に関する。
【背景技術】
【０００２】
近年、フレキシブルな基板を用いたシート状の表示装置の製品化が進められている。このような表示装置は、軽量かつ薄型の表示装置として注目されている。上記のフレキシブルな基板には、例えば、ＰＩ膜（ポリイミド前駆体含有溶液の塗膜からなるポリイミドフィルム）が使用されている。表示装置を狭額縁化するために、上記のフレキシブルな基板は、上記基板が折り曲げられた状態で電子機器等に収容される。
【先行技術文献】
【特許文献】
【０００３】
【特許文献１】特開２０１４−１９７１８１号公報
【発明の概要】
【発明が解決しようとする課題】
【０００４】
本実施形態は、折り曲げ領域に信頼性の高い配線を有する表示装置を提供する。
【課題を解決するための手段】
【０００５】
一実施形態に係る表示装置は、
表示領域と、パッド領域と、前記表示領域と前記パッド領域との間に位置し第１軸に沿って延在する折り曲げ領域と、を有する絶縁基板と、前記絶縁基板の上方に配置され前記表示領域側から前記パッド領域側まで前記折り曲げ領域を延在する複数の配線と、を備え、前記複数の配線は、それぞれ前記表示領域側に位置した第１直線部と、前記第１直線部より前記パッド領域側に位置し前記第１直線部に直に接続された第２直線部と、を含む複数の第１配線を有し、前記複数の第１配線の複数の第１直線部は、それぞれ前記第１軸に対して第１回転方向に鋭角である第１角度傾斜した第１方向に延在し、前記第１方向に直交する第２方向に間隔を置いて並べられ、前記複数の第１配線の複数の第２直線部は、それぞれ前記第１軸に対して前記第１回転方向とは逆の回りの第２回転方向に鋭角である第２角度傾斜した第３方向に延在し、前記第３方向に直交する第４方向に間隔を置いて並べられ、前記複数の第１直線部の長さは、前記第２方向に次第に変化し、前記複数の第２直線部の長さは、前記第４方向に次第に変化し、各々の前記第１配線において、前記第１直線部の長さが相対的に短い場合前記第２直線部の長さは相対的に長く、前記第１直線部の長さが相対的に長い場合前記第２直線部の長さは相対的に短い。
【０００６】
また、一実施形態に係る表示装置は、
表示領域と、パッド領域と、前記表示領域と前記パッド領域との間に位置し第１軸に沿って延在する折り曲げ領域と、を有する絶縁基板と、前記絶縁基板の上方に配置され前記表示領域側から前記パッド領域側まで前記折り曲げ領域を延在する複数の配線と、を備え、前記複数の配線は、それぞれ、前記表示領域側に位置した第１直線部と前記第１直線部より前記パッド領域側に位置した第２直線部と前記第１直線部と前記第２直線部とに直に接続された第３直線部とを含む複数の第１配線と、前記パッド領域側に位置した第２直線部と前記表示領域側に位置し前記第２直線部に直に接続された第３直線部とを含む第２配線と、前記表示領域側に位置した第１直線部と前記パッド領域側に位置し前記第１直線部に直に接続された第３直線部とを含み前記複数の第１配線に対して前記第２配線の反対側に位置した第３配線と、を有し、前記複数の第１配線及び前記第３配線の複数の第１直線部は、それぞれ前記第１軸に対して第１回転方向に鋭角である第１角度傾斜した第１方向に延在し、前記第１方向に直交する第２方向に間隔を置いて並べられ、前記複数の第１配線及び前記第２配線の複数の第２直線部は、それぞれ前記第１軸に対して前記第１回転方向に鋭角である第２角度傾斜した第３方向に延在し、前記第３方向に直交する第４方向に間隔を置いて並べられ、前記複数の第１配線、前記第２配線、及び前記第３配線の複数の第３直線部は、それぞれ前記第１軸に対して前記第１回転方向とは逆の回りの第２回転方向に鋭角である第３角度傾斜した第５方向に延在し、前記第５方向に直交する第６方向に間隔を置いて並べられ、前記複数の第１直線部の長さは、前記第２方向に次第に変化し、前記複数の第２直線部の長さは、前記第６方向に次第に変化し、各々の前記第１配線において、前記第１直線部の長さが相対的に短い場合前記第２直線部の長さは相対的に長く、前記第１直線部の長さが相対的に長い場合前記第２直線部の長さは相対的に短い。
【図面の簡単な説明】
【０００７】
【図１】図１は、第１の実施形態に係る表示装置の構成を示す斜視図である。
【図２】図２は、図１に示した表示装置の表示領域を示す断面図である。
【図３】図３は、図１に示した表示装置を示す他の断面図であり、非表示領域などを示す図である。
【図４】図４は、上記表示装置を示す断面図であり、表示パネルの折り曲げ領域が折り曲がっている状態を示す図である。
【図５】図５は、上記表示パネルの第１基板の一部を示す平面図であり、折り曲げ領域などを示す図である。
【図６】図６は、第１配線を除き、図５に示した第１基板を示す平面図である。
【図７】図７は、上記第１の実施形態の変形例１に係る表示装置の表示パネルの第１基板の一部を示す平面図であり、折り曲げ領域などを示す図である。
【図８】図８は、上記第１の実施形態の変形例２に係る表示装置の表示パネルの第１基板の一部を示す平面図であり、折り曲げ領域などを示す図である。
【図９】図９は、上記第１の実施形態の変形例３に係る表示装置の表示パネルの第１基板の一部を示す平面図であり、折り曲げ領域などを示す図である。
【図１０】図１０は、上記第１の実施形態の変形例４に係る表示装置の表示パネルの第１基板の一部を示す平面図であり、折り曲げ領域などを示す図である。
【図１１】図１１は、第１配線、第２配線、及び第３配線を除き、図１０に示した第１基板を示す平面図である。
【図１２】図１２は、比較例１に係る表示装置の表示パネルの第１基板の一部を示す平面図であり、折り曲げ領域などを示す図である。
【図１３】図１３は、比較例２に係る表示装置の表示パネルの第１基板の一部を示す平面図であり、折り曲げ領域などを示す図である。
【図１４】図１４は、第２の実施形態に係る表示装置の表示パネルの第１基板の一部を示す平面図であり、折り曲げ領域などを示す図である。
【図１５】図１５は、配線を除き、図１４に示した第１基板を示す平面図である。
【図１６】図１６は、上記第２の実施形態の変形例１に係る表示装置の表示パネルの第１基板の一部を示す平面図であり、折り曲げ領域などを示す図である。
【図１７】図１７は、上記第２の実施形態の変形例２に係る表示装置の表示パネルの第１基板の一部を示す平面図であり、折り曲げ領域などを示す図である。
【図１８】図１８は、上記第２の実施形態の変形例３に係る表示装置の表示パネルの第１基板の一部を示す平面図であり、折り曲げ領域などを示す図である。
【発明を実施するための形態】
【０００８】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（第１の実施形態）  
まず、第１の実施形態に係る表示装置について詳細に説明する。図１は、本実施形態に係る表示装置ＤＳＰの構成を示す斜視図である。  
図１に示すように、Ｘ方向及びＹ方向は互いに直交している。Ｚ方向は、Ｘ方向及びＹ方向にそれぞれ直交している。なお、本実施形態と異なり、Ｘ方向及びＹ方向は、９０°以外の角度で交差していてもよい。以下、本実施形態において、表示装置が有機エレクトロルミネッセンス（ＥＬ：Electro-Luminescent）表示装置である場合について説明する。
【００１０】
本実施形態においては、第１基板ＳＵＢ１から偏光板ＰＯＬに向かう側（Ｚ方向の矢印の先端に向かう方向）を上と定義し、偏光板ＰＯＬから第１基板ＳＵＢ１に向かう側（Ｚ方向の矢印の先端に向かう方向とは反対側の方向）を下と定義する。「第１部材の上の第２部材」及び「第１部材の下の第２部材」とした場合、第２部材は、第１部材に接していてもよく、第１部材から離れて位置していてもよい。
【００１１】
表示装置ＤＳＰは、表示パネルＰＮＬと、配線基板１と、配線基板２と、を備えている。表示パネルＰＮＬは、第１基板ＳＵＢ１と、第１基板ＳＵＢ１に対向配置された偏光板ＰＯＬと、支持部材５と、を備えている。本実施形態において、表示パネルＰＮＬは、電気光学素子としての有機ＥＬ素子を有する有機ＥＬ表示パネルである。
【００１２】
表示パネルＰＮＬは、画像を表示する表示領域ＤＡと、表示領域ＤＡの外側の非表示領域ＮＤＡと、を備えている。表示パネルＰＮＬは、表示領域ＤＡにおいて、複数の画素ＰＸを備えている。複数の画素ＰＸは、Ｘ方向及びＹ方向にマトリクス状に並べられている。
【００１３】
第１基板ＳＵＢ１は、偏光板ＰＯＬと重なる領域よりも外側に位置したパッド領域ＭＴを有している。より具体的には、第１基板ＳＵＢ１の３つの側縁は、Ｚ方向において、偏光板ＰＯＬの３つの側縁と揃っている。第１基板ＳＵＢ１のＸ方向に平行な側縁の長さは、偏光板ＰＯＬのＸ方向に平行な側縁の長さと実質等しい。また、第１基板ＳＵＢ１のＹ方向に平行な側縁の長さは、偏光板ＰＯＬのＹ方向に平行な側縁の長さより大きい。つまり、第１基板ＳＵＢ１のＸ−Ｙ平面に平行な面積は、偏光板ＰＯＬのＸ−Ｙ平面に平行な面積より大きい。ここで、Ｘ−Ｙ平面は、Ｘ方向とＹ方向とで規定される平面である。
【００１４】
図示した例では、配線基板１は、非表示領域ＮＤＡにおいて、パッド領域ＭＴ上に実装されている。図示した例では、配線基板１のＸ方向に平行な側縁の長さは、第１基板ＳＵＢ１及び偏光板ＰＯＬのＸ方向に平行な側縁の長さに比べて小さいが、同等であってもよい。配線基板１は、表示パネルＰＮＬに連結されている。配線基板２は、配線基板１の下に配置され、配線基板１に連結されている。  
配線基板１，２は、例えば可撓性を有するフレキシブル基板である。なお、本実施形態で適用可能なフレキシブル基板とは、その少なくとも一部分に、屈曲可能な材料によって形成されたフレキシブル部を備えていればよい。
【００１５】
ここで、本実施形態においては、表示装置ＤＳＰは、電子機器等の筐体に収容される際に折り曲げられる領域である折り曲げ領域ＢＡを有している。図中、折り曲げ領域ＢＡに斜線を付している。すなわち、配線基板１及び配線基板２が表示領域ＤＡの下側に配置されるように、折り曲げ領域ＢＡが折り曲げられる。折り曲げ領域ＢＡは、非表示領域ＮＤＡ内に位置している。  
支持部材５は、表示パネルＰＮＬの下に位置し第１基板ＳＵＢ１に貼り付けられている。なお、支持部材５は、Ｚ方向に折り曲げ領域ＢＡと対向する位置には配置されていない。また、第１絶縁基板１０は、表示領域ＤＡと、折り曲げ領域ＢＡと、パッド領域ＭＴと、を有している。
【００１６】
図２は、図１に示した表示装置ＤＳＰの表示領域ＤＡを示す断面図である。  
図２に示すように、第１基板ＳＵＢ１は、第１絶縁基板１０、複数のスイッチング素子ＳＷ、複数の光反射層４、複数の有機ＥＬ素子ＯＬＥＤ、封止層４１、支持部材５などを備えている。上記画素ＰＸは、複数の副画素ＳＰＸを有している。本実施形態では、画素ＰＸは、３個の副画素ＳＰＸを有している。各副画素ＳＰＸは、単個のスイッチング素子ＳＷ、単個の有機ＥＬ素子ＯＬＥＤなどを備えている。図２の説明において、単個の副画素ＳＰＸの構成について説明するが、他の副画素ＳＰＸの構成も同様である。
【００１７】
第１絶縁基板１０は、有機絶縁材料を用いて形成され、例えば、ポリイミド（ＰＩ）を用いて形成される。このため、第１絶縁基板１０を、有機絶縁基板（樹脂基板）と称した方が適当な場合があり得る。又は、第１絶縁基板１０を、絶縁層、有機絶縁層、又は樹脂層と称した方が適当な場合があり得る。第１絶縁基板１０は、第１面１０Ａと、第１面１０Ａとは反対側の第２面１０Ｂとを有している。第１絶縁基板１０は、第１絶縁層１１によって覆われている。
【００１８】
スイッチング素子ＳＷは、第１絶縁層１１の上に形成されている。図示した例では、スイッチング素子ＳＷは、トップゲート型の薄膜トランジスタで構成されているが、ボトムゲート型の薄膜トランジスタで構成されていてもよい。スイッチング素子ＳＷは、第１絶縁層１１の上に形成された半導体層ＳＣを備えている。半導体層ＳＣは、第２絶縁層１２によって覆われている。また、第２絶縁層１２は、第１絶縁層１１の上にも配置されている。
【００１９】
スイッチング素子ＳＷのゲート電極ＷＧは、第２絶縁層１２の上に形成され、半導体層ＳＣの直上に位置している。ゲート電極ＷＧは、第３絶縁層１３によって覆われている。また、第３絶縁層１３は、第２絶縁層１２の上にも配置されている。  
このような第１絶縁層１１、第２絶縁層１２、及び、第３絶縁層１３は、例えば、シリコン酸化物、シリコン窒化物などの無機絶縁材料によって形成されている。
【００２０】
スイッチング素子ＳＷのソース電極ＷＳ及びドレイン電極ＷＤは、第３絶縁層１３の上に形成されている。ソース電極ＷＳ及びドレイン電極ＷＤは、それぞれ第２絶縁層１２及び第３絶縁層１３を貫通するコンタクトホールを通して半導体層ＳＣと電気的に接続されている。スイッチング素子ＳＷは、第５絶縁層１５によって覆われている。第５絶縁層１５は、第３絶縁層１３の上にも配置されている。このような第５絶縁層１５は、例えば、透明な樹脂等の有機絶縁材料によって形成されている。
【００２１】
光反射層４は、第５絶縁層１５の上に配置されている。光反射層４は、アルミニウムや銀等の光反射率の高い金属材料で形成される。なお、光反射層４の表面（つまり、偏光板ＰＯＬ側の面）は、平坦面であってもよいし、光散乱性を付与するための凹凸面であってもよい。
【００２２】
有機ＥＬ素子ＯＬＥＤは、第５絶縁層１５の上に形成されている。図示した例では、有機ＥＬ素子ＯＬＥＤはスイッチング素子ＳＷと電気的に接続されている。例えば、画素ＰＸは、赤色光を放射する有機ＥＬ素子ＯＬＥＤと、緑色光を放射する有機ＥＬ素子ＯＬＥＤと、青色光を放射する有機ＥＬ素子ＯＬＥＤと、を有している。但し、有機ＥＬ素子ＯＬＥＤが放射する光の色は本実施形態に限定されるものではなく種々変形可能である。  
なお、本実施形態と異なり、有機ＥＬ素子ＯＬＥＤは、白色光を放射するように構成されていてもよい。この場合、表示パネルＰＮＬは、カラーフィルタを備えていてもよい。
【００２３】
有機ＥＬ素子ＯＬＥＤは、光反射層４の上に形成された画素電極ＰＥを備えている。画素電極ＰＥは、例えば、アルミニウム、銀などの金属材料やインジウム・ティン・オキサイド（ＩＴＯ）、インジウム・ジンク・オキサイド（ＩＺＯ）などの透明な導電材料によって形成されている。
【００２４】
第５絶縁層１５及び画素電極ＰＥの上には、隔壁絶縁層１７が設けられている。隔壁絶縁層１７には、画素電極ＰＥに対応した位置に貫通孔が設けられているか、或いは、画素電極ＰＥが形成する列又は行に対応した位置にスリットが設けられている。ここでは、一例として、隔壁絶縁層１７は、画素電極ＰＥに対応した位置に貫通孔を有している。
【００２５】
有機ＥＬ素子ＯＬＥＤは、さらに、有機発光層ＯＲＧ及び共通電極ＣＥを備えている。画素電極ＰＥ及び共通電極ＣＥのうち、一方が陽極であり、他方が陰極である。有機発光層ＯＲＧは、画素電極ＰＥの上に位置している。
【００２６】
共通電極ＣＥは、有機発光層ＯＲＧ及び隔壁絶縁層１７の上に位置している。共通電極ＣＥは、例えば、ＩＴＯ、ＩＺＯなどの透明な導電材料によって形成されている。図示した例では、有機ＥＬ素子ＯＬＥＤは、それぞれ隔壁絶縁層１７によって区画されている。なお、図示しないが、有機ＥＬ素子ＯＬＥＤは、透明な封止膜によって封止されていることが望ましい。  
なお、本実施形態と異なり、有機ＥＬ素子は、第１絶縁基板１０の側に向かって光を放射するいわゆるボトムエミッションタイプとして構成されてもよい。この場合、光反射層４の位置など、種々調整される。
【００２７】
封止層４１は、酸素や水分の侵入を抑制するため、有機ＥＬ素子ＯＬＥＤを覆い、素子の劣化を防止している。なお、封止層４１は、無機膜と有機膜の積層体から構成されていてもよい。偏光板ＰＯＬは、接着層ＡＤ５によって封止層４１に接着されている。
【００２８】
支持部材５は、樹脂フィルムであり、第１基板ＳＵＢ１の下に配置されている。支持部材５は、第１絶縁基板１０の第２面１０Ｂに接着層ＡＤ２によって接着されている。支持部材５の材料としては、例えば、耐熱性、ガス遮断性、防湿性、強度に優れ、尚且つ安価な材料が好ましい。支持部材５は、例えば、表示装置ＤＳＰを製造する過程でのプロセス温度にて変質、変形しない程度の耐熱性を有する。また、支持部材５は、例えば、第１絶縁基板１０より大きな強度を有し、支持層として機能する。支持部材５を付加することにより、表示パネルＰＮＬは、外部からの応力がかからない状態にて湾曲し難くなる。また、支持部材５は、例えば、第１絶縁基板１０への水分等の侵入を抑制する防湿性やガスの侵入を抑制するガス遮断性等を有し、バリア層として機能する。本実施形態においては、支持部材５は、例えば、ポリエチレンテレフタレートを用いて形成されたフィルムである。  
なお、図１に示した画素ＰＸは、例えば、カラー画像を構成する最小単位であり、上記の有機ＥＬ素子ＯＬＥＤを備えている。
【００２９】
図３は、図１に示した表示装置ＤＳＰを示す他の断面図であり、非表示領域ＮＤＡなどを示す図である。  
図３に示すように、支持部材５は、第１部分５ａと、第１部分５ａに間隔を置いて配置された第２部分５ｂと、を有している。また、表示パネルＰＮＬは、第１領域ＡＲ１と、第１領域ＡＲ１に隣接する第２領域ＡＲ２と、第２領域ＡＲ２に隣接する第３領域ＡＲ３と、を有している。第２領域ＡＲ２は、第１領域ＡＲ１と第３領域ＡＲ３との間に位置している。
【００３０】
ここで、本実施形態においては、偏光板ＰＯＬから第１基板ＳＵＢ１を見ることを平面視と定義する。第１領域ＡＲ１は、平面視で第１部分５ａと重なる領域に相当する。第２領域ＡＲ２は、平面視で支持部材５が配置されていない領域に相当する。図１にも示した折り曲げ領域ＢＡは、第２領域ＡＲ２に含まれている。もしくは、折り曲げ領域ＢＡは、第２領域ＡＲ２と同等の領域である。第３領域ＡＲ３は、パッド領域ＭＴであり、平面視で第２部分５ｂと重なる領域に相当する。また、第１部分５ａは、接着層ＡＤ２によって第１領域ＡＲ１に接着され、第２部分５ｂは、接着層ＡＤ２によって第３領域ＡＲ３に接着されている。
【００３１】
信号線６は、第３絶縁層１３の上に配置され、少なくとも表示領域ＤＡに位置している。配線Ｗは、第１絶縁基板１０の上方に配置され、表示領域ＤＡ側からパッド領域ＭＴ側まで折り曲げ領域ＢＡを連続して延在している。配線Ｗは、電源線や各種制御用配線などに相当する。接続配線９は、第２絶縁層１２の上に配置され、パッド領域ＭＴに位置している。
【００３２】
図３に示す配線Ｗは、少なくとも第２絶縁層１２の上に配置され、信号線６及び接続配線９と一体に形成されている。配線Ｗは、表示領域ＤＡ側に位置した第１端部Ｅ１と、パッド領域ＭＴ側に位置した第２端部Ｅ２と、を有している。第１端部Ｅ１は、表示領域ＤＡと非表示領域ＮＤＡとの境界から、第１領域ＡＲ１と折り曲げ領域ＢＡとの境界までの間の領域に位置している。第２端部Ｅ２は、折り曲げ領域ＢＡとパッド領域ＭＴとの境界、又はパッド領域ＭＴに位置している。図３に示す例では、第１端部Ｅ１は、表示領域ＤＡと非表示領域ＮＤＡとの境界に位置し、第２端部Ｅ２は、折り曲げ領域ＢＡとパッド領域ＭＴとの境界に位置している。
【００３３】
第１基板ＳＵＢ１は、第４絶縁層１４、及び第２保護膜ＰＦ２をさらに有している。第４絶縁層１４は、信号線６、配線Ｗ、及び接続配線９の上に配置され、第１領域ＡＲ１、第２領域ＡＲ２、及び第３領域ＡＲ３に位置している。第５絶縁層１５は、第４絶縁層１４の上に配置されている。第５絶縁層１５は、表示領域ＤＡ（第１領域ＡＲ１）の他、第２領域ＡＲ２及び第３領域ＡＲ３にも位置している。非表示領域ＮＤＡにおいて、第５絶縁層１５は、少なくとも折り曲げ領域ＢＡに位置している。第５絶縁層１５は、折り曲げ領域ＢＡにて、第１保護膜ＰＦ１を形成している。第１保護膜ＰＦ１は、配線Ｗなどを保護している。
【００３４】
第２保護膜ＰＦ２は、第５絶縁層１５の上に配置されている。第２保護膜ＰＦ２は、少なくとも折り曲げ領域ＢＡに位置している。本実施形態において、第２保護膜ＰＦ２は、第１領域ＡＲ１の一部及び第３領域ＡＲ３にも位置している。図示した例では、第２保護膜ＰＦ２は、隔壁絶縁層１７の端部、封止層４１の端部、導電材料である異方性導電膜８の端部を覆っている。パッドＰＤは、第３領域ＡＲ３に位置している。パッドＰＤは、第１保護膜ＰＦ１の上に配置され、第４絶縁層１４及び第１保護膜ＰＦ１に形成されたコンタクトホールＣＨを通り接続配線９と電気的に接続されている。
【００３５】
配線基板１は、異方性導電膜８を介して第３領域ＡＲ３に実装されている。配線基板１は、コア基板２００と、コア基板２００の下面側に配置された接続配線１００と、コア基板２００の下面側に配置された駆動ＩＣチップ３と、を備えている。駆動ＩＣチップ３は、表示パネルＰＮＬを駆動するのに必要な信号を供給する信号供給源等として機能する。なお、本実施形態と異なり、表示装置ＤＳＰがコア基板２００及び接続配線１００を用いること無く、駆動ＩＣチップ３が第３領域ＡＲ３に実装されていてもよい。
【００３６】
ここで、折り曲げ領域ＢＡが折り曲げられることによって、パッドＰＤは、表示パネルＰＮＬの背面側へ配置される。
【００３７】
図４は、上記表示装置ＤＳＰを示す断面図であり、表示パネルＰＮＬの折り曲げ領域ＢＡが折り曲がっている状態を示す図である。  
図４に示すように、折り曲げ領域ＢＡは、第１部分５ａと第２部分５ｂとが対向するように折れ曲がっている。表示パネルＰＮＬは、支持部材５が配置されていない第２領域ＡＲ２を有している。このため、折り曲げ領域ＢＡの曲率半径を小さくすることが可能である。台座部７は、第１領域ＡＲ１と配線基板１との間に配置されている。
【００３８】
接着層Ａ１は、第１領域ＡＲ１と台座部７との間に配置され、両者を接着している。また、接着層Ａ２は、配線基板１と台座部７との間に配置され、両者を接着している。なお、接着層Ａ１及びＡ２は、図示したようにつながって形成されていてもよいし、別々に形成されていてもよい。接着層Ａ１及びＡ２は、例えば両面テープである。  
表示装置ＤＳＰは、上記のように構成されている。
【００３９】
上記のように、表示パネルＰＮＬの折り曲げ領域ＢＡを折り曲げることによって、表示パネルＰＮＬを収容する電子機器等を狭額縁化もしくは小型化することが可能となる。また、表示パネルＰＮＬの非表示領域ＮＤＡの幅を縮めることなく収容体積を縮小することができる。上記のように、表示パネルＰＮＬを折り曲げる観点から、表示パネルＰＮＬの第２領域ＡＲ２に、支持部材５は配置されていない。
【００４０】
次に、上記表示パネルＰＮＬの非表示領域ＮＤＡ、特に折り曲げ領域ＢＡについて説明する。図５は、上記表示パネルＰＮＬの第１基板ＳＵＢ１の一部を示す平面図であり、折り曲げ領域ＢＡなどを示す図である。なお、図５では、折り曲げ領域ＢＡが折り曲げられる前の状態を示している。
【００４１】
図５に示すように、表示領域ＤＡにおいて、複数の副画素ＳＰＸが、第１絶縁基板１０の上に配置されている。複数の信号線６は、Ｙ方向に延在し、Ｘ方向に間隔を置いて並んでいる。本実施形態において、複数の信号線６は、Ｘ方向に等間隔に配置されている。各々の信号線６には、複数の副画素ＳＰＸが接続されている。
【００４２】
第１絶縁基板１０の折り曲げ領域ＢＡは、第１軸ＡＸ１に沿って延在している。本実施形態において、第１軸ＡＸ１は、Ｙ方向に平行な軸である。また、第１絶縁基板１０の折り曲げ領域ＢＡの幅は、表示領域ＤＡからパッド領域ＭＴに向かって次第に狭くなっている。そのような折り曲げ領域ＢＡの形状は、例えば、折り曲げ領域ＢＡ側の表示領域ＤＡの隅が直角の矩形状に留まらず、円形や楕円形などといった非矩形への対応を図ることができる。そして、本実施形態において、パッド領域ＭＴは、第１絶縁基板１０におけるＸ方向の中央に位置している。
【００４３】
折り曲げ領域ＢＡは、第１軸ＡＸ１に直交する折り曲げ軸ＡＸｂを有している。本実施形態において、折り曲げ軸ＡＸｂは、Ｘ方向に平行な軸である。折り曲げ軸ＡＸｂは、第１基板ＳＵＢ１を折り曲げる際の基準となる軸である。折り曲げ領域ＢＡは、折り曲げ軸ＡＸｂを基準に折り曲げられる。折り曲げ領域ＢＡが折り曲がっている状態にて、折り曲げ軸ＡＸｂの位置における第１基板ＳＵＢ１の接線はＺ方向に平行である。なお、折り曲げ軸ＡＸｂを、以下、第２軸ＡＸ２と称する場合がある。
【００４４】
複数の配線Ｗは、複数の第１配線Ｗ１、第４配線Ｗ４、及び第５配線Ｗ５を有している。各々の第１配線Ｗ１は、表示領域ＤＡ側に位置した第１直線部Ｗ１ａと、第１直線部Ｗ１ａよりパッド領域ＭＴ側に位置し第１直線部Ｗ１ａに直に接続された第２直線部Ｗ１ｂと、を含んでいる。
【００４５】
複数の第１配線Ｗ１の複数の第１直線部Ｗ１ａは、それぞれ、第１方向ｄ１に延在し、第１方向ｄ１に直交する第２方向ｄ２に間隔を置いて並べられている。ここで、第１方向ｄ１は、第１軸ＡＸ１に対して第１回転方向ｄｒ１に鋭角である第１角度θ１傾斜した方向である。  
複数の第１配線Ｗ１の複数の第２直線部Ｗ１ｂは、それぞれ、第３方向ｄ３に延在し、第３方向ｄ３に直交する第４方向ｄ４に間隔を置いて並べられている。ここで、第３方向ｄ３は、第１軸ＡＸ１に対して第１回転方向ｄｒ１とは逆の回りの第２回転方向ｄｒ２に鋭角である第２角度θ２傾斜した方向である。
【００４６】
複数の第１直線部Ｗ１ａの長さは、第２方向ｄ２に次第に変化している。複数の第２直線部Ｗ１ｂの長さは、第４方向ｄ４に次第に変化している。各々の第１配線Ｗ１において、第１直線部Ｗ１ａの長さが相対的に短い場合第２直線部Ｗ１ｂの長さは相対的に長く、第１直線部Ｗ１ａの長さが相対的に長い場合第２直線部Ｗ１ｂの長さは相対的に短い。
【００４７】
第４配線Ｗ４、及び第５配線Ｗ５は、それぞれ、表示領域ＤＡ側からパッド領域ＭＴ側まで一直線に延在している。第５配線Ｗ５は、複数の第１配線Ｗ１に対して第４配線Ｗ４の反対側に位置している。  
第４配線Ｗ４は、第１軸ＡＸ１に対して第２回転方向ｄｒ２に第２角度θ２以上鋭角に傾斜している。第４配線Ｗ４は、複数の第１配線Ｗ１のうち最も長い第２直線部Ｗ１ｂを有する第１配線にＷ１隣り合っている。  
第５配線Ｗ５は、第１軸ＡＸ１に対して第１回転方向ｄｒ１に第１角度θ１以上鋭角に傾斜している。第５配線Ｗ５は、複数の第１配線Ｗ１のうち最も長い第１直線部Ｗ１ａを有する第１配線Ｗ１に隣り合っている。
【００４８】
本実施形態において、第１直線部Ｗ１ａの傾斜角と、第５配線Ｗ５の傾斜角とは、同一である。また、第２直線部Ｗ１ｂの傾斜角と、第４配線Ｗ４の傾斜角とは、同一である。さらに、第１角度θ１及び第２角度θ２は、同一の角度である。
【００４９】
配線Ｗは、第１軸ＡＸ１に対して傾斜して延在しているため、折り曲げ領域ＢＡにおいて信頼性の高い配線Ｗを得ることができる。なぜなら、折り曲げ領域ＢＡが折り曲がっている状態にて配線Ｗが曲げ応力による悪影響を受け難くなるためである。これにより、配線Ｗの断線、配線Ｗへのクラックの発生、配線Ｗの剥離など、配線Ｗの破損を抑制することができる。信頼性の高い配線Ｗを得る観点から、例えば、第１角度θ１及び第２角度θ２は、それぞれ４５°以上の鋭角である方が望ましい。なお、望ましい第１角度θ１及び第２角度θ２は、例えば、配線Ｗの材料や、第４絶縁層１４、第１保護膜ＰＦ１などの配線Ｗの周囲に位置し配線Ｗに応力を加え得る部材の材料によって変化し得る。
【００５０】
複数の配線Ｗは、それぞれ、表示領域ＤＡ側に位置した第１端部Ｅ１と、パッド領域ＭＴ側に位置した第２端部Ｅ２と、を含んでいる。複数の配線Ｗの複数の第１端部Ｅ１の位置は、第２軸ＡＸ２に平行な方向に揃っている。複数の配線Ｗの複数の第２端部Ｅ２の位置は、第２軸ＡＸ２に平行な方向に揃っている。複数の第１端部Ｅ１は、第２軸ＡＸ２に平行な方向に等間隔に配置されている。本実施形態において、複数の第１端部Ｅ１の間隔Ｓ１は、信号線６の間隔と同一である。複数の第２端部Ｅ２は、第２軸ＡＸ２に平行な方向に等間隔に配置されている。本実施形態において、複数の第２端部Ｅ２の間隔Ｓ２は、複数の第１端部Ｅ１の間隔Ｓ１より狭い。
【００５１】
複数の第１配線Ｗ１は、第１基準線Ｌｒ１上で、屈曲している。ここで、第１基準線Ｌｒ１は、第４配線Ｗ４の第１端部Ｅ１と第５配線Ｗ５の第２端部Ｅ２とを通り、一直線に延在している。  
各々の第１配線Ｗ１の屈曲部（屈曲点）は、１個である。各々の第１配線Ｗ１の屈曲部が複数（多数）存在する場合と比較して、信頼性の高い第１配線Ｗ１を得る。なぜなら、配線Ｗは、屈曲部において破損する確立が高いためである。  
なお、第４配線Ｗ４及び第５配線Ｗ５は、それぞれ屈曲していない。なぜなら、第４配線Ｗ４は第２角度θ２傾斜し、第５配線Ｗ５は第１角度θ１傾斜しているためである。言い換えると、第４配線Ｗ４及び第５配線Ｗ５が屈曲部を有していなくとも、信頼性の高い第４配線Ｗ４及び第５配線Ｗ５を得ることができるためである。
【００５２】
ここで、複数の第１配線Ｗ１を屈曲させる理由について説明する。図６は、第１配線Ｗ１を除き、図５に示した第１基板ＳＵＢ１を示す平面図である。図６には、便宜上、各々の第１配線Ｗ１の第１端部Ｅ１と第２端部Ｅ２とを一直線に結ぶ仮想線Ｌｉを示している。  
図６に示すように、本実施形態の仮想線Ｌｉは、仮想線Ｌｉ１、仮想線Ｌｉ２、及び仮想線Ｌｉ３に分類される。仮想線Ｌｉ１は、第１軸ＡＸ１に平行である。仮想線Ｌｉ３は、第１軸ＡＸ１に対して第１回転方向ｄｒ１に第１角度θ１未満傾斜している。仮想線Ｌｉ２は、第１軸ＡＸ１に対して第２回転方向ｄｒ２に第２角度θ２未満傾斜している。上記のことから、第１配線Ｗ１に屈曲部を持たせることにより、信頼性の高い第１配線Ｗ１を得ることができる。
【００５３】
上記のように構成された第１の実施形態に係る表示装置ＤＳＰによれば、表示装置ＤＳＰは、複数の第１配線Ｗ１など、折り曲げ領域ＢＡを延在する複数の配線Ｗを備えている。第１配線Ｗ１は、第１角度θ１傾斜した第１直線部Ｗ１ａと、第２角度θ２傾斜した第２直線部Ｗ１ｂとを含み、屈曲している。  
上記のことから、折り曲げ領域ＢＡに信頼性の高い配線Ｗを有する表示装置ＤＳＰを得ることができる。また、表示パネルＰＮＬを折り曲げ領域ＢＡにて折り曲げる工程において、配線Ｗの破損を抑制することができる。そのため、製造歩留まりの高い表示装置ＤＳＰを得ることができる。
【００５４】
（第１の実施形態の変形例１）  
次に、第１の実施形態の変形例１に係る表示装置について説明する。図７は、上記第１の実施形態の変形例１に係る表示装置ＤＳＰの表示パネルＰＮＬの第１基板ＳＵＢ１の一部を示す平面図であり、折り曲げ領域ＢＡなどを示す図である。なお、図７では、折り曲げ領域ＢＡが折り曲げられる前の状態を示している。  
図７に示すように、本変形例１において、パッド領域ＭＴは、第１絶縁基板１０におけるＸ方向の中央より右側にずれて位置している。
【００５５】
複数の配線Ｗは、複数の第１配線Ｗ１、第４配線Ｗ４を有し、第５配線Ｗ５を有していない。第４配線Ｗ４の傾斜角θは、第２角度θ２以上の鋭角である。複数の配線Ｗは第４配線Ｗ４を有しているため、複数の配線Ｗは、一又は複数の第６配線Ｗ６をさらに有している。本変形例１において、複数の配線Ｗは、複数の第６配線Ｗ６を有している。各々の第６配線Ｗ６は、表示領域ＤＡ側からパッド領域ＭＴ側まで一直線に延在している。
【００５６】
複数の第６配線Ｗ６は、それぞれ第１軸ＡＸ１に対して第２回転方向ｄｒ２に第２角度θ２を超えて鋭角に傾斜している。各々の第６配線Ｗ６の傾斜角θは、第４配線Ｗ４の傾斜角θを超えている。複数の第６配線Ｗ６は、第４配線Ｗ４に対して複数の第１配線Ｗ１の反対側に位置している。第４配線Ｗ４及び複数の第６配線Ｗ６が第１配線Ｗ１から遠ざかるほど、第４配線Ｗ４及び複数の第６配線Ｗ６の傾斜角θは次第に大きくなっている。
【００５７】
複数の第１配線Ｗ１は、第４基準線Ｌｒ４上で、屈曲している。第４基準線Ｌｒ４は、第４配線Ｗ４の第１端部Ｅ１と、第２基準線Ｌｒ２と第３基準線Ｌｒ３とが交差する第１基準点Ｐｒ１とを通り、一直線に延在している。ここで、第２基準線Ｌｒ２は、複数の第１配線Ｗ１のうち第４配線Ｗ４側とは反対側に位置する端の第１配線Ｗ１の第１端部Ｅ１を通り、第１軸ＡＸ１に対して第１回転方向ｄｒ１に第１角度θ１傾斜し、一直線に延在している。第３基準線Ｌｒ３は、上記端の第１配線Ｗ１の第２端部Ｅ２を通り、第１軸ＡＸ１に対して第２回転方向ｄｒ２に第２角度θ２傾斜し、一直線に延在している。上記端の第１配線Ｗ１において、第１直線部Ｗ１ａは第２基準線Ｌｒ２上を延在し、第２直線部Ｗ１ｂは第３基準線Ｌｒ３上を延在している。本変形例１において、上記端の第１配線Ｗ１は、右端の第１配線Ｗ１である。
【００５８】
第４配線Ｗ４と同様、各々の第６配線Ｗ６は屈曲部を有していない。第６配線Ｗ６の傾斜角θは、第２角度θ２を超えているためである。  
上記のように構成された第１の実施形態の変形例１に係る表示装置ＤＳＰにおいても、上記第１の実施形態と同様の効果を得ることができる。
【００５９】
（第１の実施形態の変形例２）  
次に、第１の実施形態の変形例２に係る表示装置について説明する。図８は、上記第１の実施形態の変形例２に係る表示装置ＤＳＰの表示パネルＰＮＬの第１基板ＳＵＢ１の一部を示す平面図であり、折り曲げ領域ＢＡなどを示す図である。なお、図８では、折り曲げ領域ＢＡが折り曲げられる前の状態を示している。また、図８には、便宜上、右端の第１配線Ｗ１の第１端部Ｅ１と第２端部Ｅ２とを一直線に結ぶ仮想線Ｌｉ２を示している。
【００６０】
図７に示すように、本変形例２のパッド領域ＭＴは、上記変形例１と比較し、さらに右側にずれて位置していてもよい。仮想線Ｌｉ２は、第１軸ＡＸ１に対して第２回転方向ｄｒ２に第２角度θ２未満傾斜している。本変形例２の複数の第１配線Ｗ１に関連する仮想線Ｌｉとしては、上記実施形態と異なっている。第１配線Ｗ１に関連する仮想線Ｌｉとしては、仮想線Ｌｉ２のみであり、仮想線Ｌｉ１，Ｌｉ３は存在していない。
【００６１】
本変形例２においても、上記変形例１と同様、複数の第１配線Ｗ１は、第４基準線Ｌｒ４上で、屈曲している。第２基準線Ｌｒ２は右端の第１配線Ｗ１の第１端部Ｅ１を通り、第３基準線Ｌｒ３は右端の第１配線Ｗ１の第２端部Ｅ２を通っている。  
上記のように構成された第１の実施形態の変形例２に係る表示装置ＤＳＰにおいても、上記第１の実施形態と同様の効果を得ることができる。
【００６２】
（第１の実施形態の変形例３）  
次に、第１の実施形態の変形例３に係る表示装置について説明する。図９は、上記第１の実施形態の変形例３に係る表示装置ＤＳＰの表示パネルＰＮＬの第１基板ＳＵＢ１の一部を示す平面図であり、折り曲げ領域ＢＡなどを示す図である。なお、図９では、折り曲げ領域ＢＡが折り曲げられる前の状態を示している。
【００６３】
本変形例３の配線Ｗは、上記第１の実施形態以上に、表示領域ＤＡ側からパッド領域ＭＴ側に向かって絞られている。本変形例３の折り曲げ領域ＢＡの第１軸ＡＸ１に沿った長さは、上記第１の実施形態と比較して短い。なおここで述べる本変形例３の技術は、複数の配線Ｗの第２端部Ｅ２が、上記第１の実施形態以上に密集している場合にも適用可能である。
【００６４】
図７に示すように、本変形例３において、第４配線Ｗ４の傾斜角θは、第２角度θ２以上の鋭角である。第５配線Ｗ５の傾斜角θは、第１角度θ１以上の鋭角である。複数の配線Ｗは第４配線Ｗ４を有しているため、複数の配線Ｗは、一又は複数の第６配線Ｗ６をさらに有している。本変形例３において、複数の配線Ｗは、複数の第６配線Ｗ６を有している。各々の第６配線Ｗ６は、表示領域ＤＡ側からパッド領域ＭＴ側まで一直線に延在している。また、複数の配線Ｗは第５配線Ｗ５を有しているため、複数の配線Ｗは、一又は複数の第７配線Ｗ７をさらに有している。本変形例３において、複数の配線Ｗは、複数の第７配線Ｗ７を有している。各々の第７配線Ｗ７は、表示領域ＤＡ側からパッド領域ＭＴ側まで一直線に延在している。
【００６５】
複数の第１配線Ｗ１は、第１基準線Ｌｒ１上で、屈曲している。上記第１の実施形態と同様、第１基準線Ｌｒ１は、第４配線Ｗ４の第１端部Ｅ１と第５配線Ｗ５の第２端部Ｅ２とを通り、一直線に延在している。
【００６６】
複数の第６配線Ｗ６は、それぞれ第１軸ＡＸ１に対して第２回転方向ｄｒ２に第２角度θ２を超えて鋭角に傾斜している。各々の第６配線Ｗ６の傾斜角θは、第４配線Ｗ４の傾斜角θを超えている。複数の第６配線Ｗ６は、第４配線Ｗ４に対して複数の第１配線Ｗ１の反対側に位置している。第４配線Ｗ４及び複数の第６配線Ｗ６が第１配線Ｗ１から遠ざかるほど、第４配線Ｗ４及び複数の第６配線Ｗ６の傾斜角θは次第に大きくなっている。
【００６７】
複数の第７配線Ｗ７は、それぞれ第１軸ＡＸ１に対して第１回転方向ｄｒ１に第１角度θ１を超えて鋭角に傾斜している。各々の第７配線Ｗ７の傾斜角θは、第５配線Ｗ５の傾斜角θを超えている。複数の第７配線Ｗ７は、第５配線Ｗ５に対して複数の第１配線Ｗ１の反対側に位置している。第５配線Ｗ５及び複数の第７配線Ｗ７が第１配線Ｗ１から遠ざかるほど、第５配線Ｗ５及び複数の第７配線Ｗ７の傾斜角θは次第に大きくなっている。
【００６８】
第４配線Ｗ４と同様、各々の第６配線Ｗ６は屈曲部を有していない。第６配線Ｗ６の傾斜角θは、第２角度θ２を超えているためである。  
また、第５配線Ｗ５と同様、各々の第７配線Ｗ７は屈曲部を有していない。第７配線Ｗ７の傾斜角θは、第１角度θ１を超えているためである。  
上記のように構成された第１の実施形態の変形例３に係る表示装置ＤＳＰにおいても、上記第１の実施形態と同様の効果を得ることができる。
【００６９】
（第１の実施形態の変形例４）  
次に、第１の実施形態の変形例４に係る表示装置について説明する。図１０は、上記第１の実施形態の変形例４に係る表示装置ＤＳＰの表示パネルＰＮＬの第１基板ＳＵＢ１の一部を示す平面図であり、折り曲げ領域ＢＡなどを示す図である。なお、図１０では、折り曲げ領域ＢＡが折り曲げられる前の状態を示している。  
上記変形例３と同様、本変形例４の配線Ｗは、上記第１の実施形態以上に表示領域ＤＡ側からパッド領域ＭＴ側に向かって絞られている。
【００７０】
図１０に示すように、本変形例４において、複数の配線Ｗは、複数の第１配線Ｗ１、第４配線Ｗ４、及び第５配線Ｗ５だけではなく、複数の第２配線Ｗ２、第３配線Ｗ３、一又は複数の第６配線Ｗ６、及び一又は複数の第７配線Ｗ７をさらに有している。
【００７１】
複数の第１配線Ｗ１は、第７基準線Ｌｒ７上で屈曲している。第７基準線Ｌｒ７は、第４配線Ｗ４の第１端部Ｅ１と、第５基準線Ｌｒ５と第６基準線Ｌｒ６とが交差する第２基準点Ｐｒ２とを通り、一直線に延在している。第５基準線Ｌｒ５は、第３配線Ｗ３の第１端部Ｅ１を通り、第１軸ＡＸ１に対して第１回転方向ｄｒ１に第１角度θ１傾斜し、一直線に延在している。第６基準線Ｌｒ６は、第３配線Ｗ３の第２端部Ｅ２を通り、第１軸ＡＸ１に対して第２回転方向ｄｒ２に第２角度θ２傾斜し、一直線に延在している。
【００７２】
各々の第２配線Ｗ２は、表示領域ＤＡ側に位置した第１直線部Ｗ２ａと、第１直線部Ｗ２ａよりパッド領域ＭＴ側に位置し第１直線部Ｗ２ａに直に接続された第２直線部Ｗ２ｂと、を含んでいる。
【００７３】
複数の第２配線Ｗ２の複数の第１直線部Ｗ２ａは、それぞれ第５方向ｄ５に延在し、第５方向ｄ５に直交する第６方向ｄ６に間隔を置いて並べられている。第５方向ｄ５は、第１軸ＡＸ１に対して第２回転方向ｄｒ２に第３角度θ３傾斜している。複数の第２配線Ｗ２の複数の第２直線部Ｗ２ｂは、それぞれ第７方向ｄ７に延在し、第７方向ｄ７に直交する第８方向ｄ８に間隔を置いて並べられている。第７方向ｄ７は、第１軸ＡＸ１に対して第１回転方向ｄｒ１に第４角度θ４傾斜している。
【００７４】
複数の第２配線Ｗ２において、複数の第１直線部Ｗ２ａの長さは第６方向ｄ６に次第に変化し、複数の第２直線部Ｗ２ｂの長さは第８方向ｄ８に次第に変化している。各々の第２配線Ｗ２において、第１直線部Ｗ２ａの長さが相対的に短い場合第２直線部Ｗ２ｂの長さは相対的に長く、第１直線部Ｗ２ａの長さが相対的に長い場合第２直線部Ｗ２ｂの長さは相対的に短い。
【００７５】
複数の第２配線Ｗ２は、第１０基準線Ｌｒ１０上で屈曲している。第１０基準線Ｌｒ１０は、第５配線Ｗ５の第１端部Ｅ１と、第８基準線Ｌｒ８と第９基準線Ｌｒ９とが交差する第３基準点Ｐｒ３とを通り、一直線に延在している。第８基準線Ｌｒ８は、第３配線Ｗ３の第１端部Ｅ１を通り、第１軸ＡＸ１に対して第２回転方向ｄｒ２に第３角度θ３傾斜し、一直線に延在している。第９基準線Ｌｒ９は、第３配線Ｗ３の第２端部Ｅ２を通り、第１軸ＡＸ１に対して第１回転方向ｄｒ１に第４角度θ４傾斜し、一直線に延在している。
【００７６】
第３配線Ｗ３は、複数の第１配線Ｗ１と複数の第２配線Ｗ２との間に位置している。第３配線Ｗ３は、第１直線部Ｗ３ａと、第１直線部Ｗ３ａに直に接続された第２直線部Ｗ３ｂと、を有している。第３配線Ｗ３において、第１直線部Ｗ３ａは第５基準線Ｌｒ５上を延在し、第２直線部Ｗ３ｂは第６基準線Ｌｒ６上を延在している。又は、第３配線Ｗ３において、第１直線部Ｗ３ａは第８基準線Ｌｒ８上を延在し、第２直線部Ｗ３ｂは第９基準線Ｌｒ９上を延在している。本変形例４において、第１直線部Ｗ３ａは第５基準線Ｌｒ５上を延在し、第２直線部Ｗ３ｂは第６基準線Ｌｒ６上を延在している。また、本変形例４において、第３配線Ｗ３は、複数の配線ＷのＸ方向の中心に位置している。
【００７７】
第４配線Ｗ４は、複数の第１配線Ｗ１に対して第３配線Ｗ３とは反対側に位置し、表示領域ＤＡ側からパッド領域ＭＴ側まで一直線に延在している。第４配線Ｗ４は、第１軸ＡＸ１に対して第２回転方向ｄｒ２に第２角度θ２以上鋭角に傾斜している。第４配線Ｗ４は、複数の第１配線Ｗ１のうち最も長い第２直線部Ｗ１ｂを有する第１配線Ｗ１に隣り合っている。
【００７８】
第５配線Ｗ５は、複数の第２配線Ｗ２に対して第３配線Ｗ３とは反対側に位置し、表示領域ＤＡ側からパッド領域ＭＴ側まで一直線に延在している。第５配線Ｗ５は、第１軸ＡＸ１に対して第１回転方向ｄｒ１に第４角度θ４以上鋭角に傾斜している。第５配線Ｗ５は、複数の第２配線Ｗ２のうち最も長い第２直線部Ｗ２ｂを有する第２配線Ｗ２に隣り合っている。
【００７９】
本変形例４において、複数の配線Ｗは、複数の第６配線Ｗ６と、複数の第７配線Ｗ７と、を有している。  
複数の第６配線Ｗ６は、それぞれ第１軸ＡＸ１に対して第２回転方向ｄｒ２に第２角度θ２を超えて鋭角に傾斜している。各々の第６配線Ｗ６の傾斜角θは、第４配線Ｗ４の傾斜角θを超えている。複数の第６配線Ｗ６は、第４配線Ｗ４に対して複数の第１配線Ｗ１の反対側に位置している。第４配線Ｗ４及び複数の第６配線Ｗ６が第１配線Ｗ１から遠ざかるほど、第４配線Ｗ４及び複数の第６配線Ｗ６の傾斜角θは次第に大きくなっている。
【００８０】
複数の第７配線Ｗ７は、それぞれ第１軸ＡＸ１に対して第１回転方向ｄｒ１に第４角度θ４を超えて鋭角に傾斜している。各々の第７配線Ｗ７の傾斜角θは、第５配線Ｗ５の傾斜角θを超えている。複数の第７配線Ｗ７は、第５配線Ｗ５に対して複数の第２配線Ｗ２の反対側に位置している。第５配線Ｗ５及び複数の第７配線Ｗ７が第２配線Ｗ２から遠ざかるほど、第５配線Ｗ５及び複数の第７配線Ｗ７の傾斜角θは次第に大きくなっている。
【００８１】
信頼性の高い配線Ｗを得る観点から、例えば、第１角度θ１及び第２角度θ２だけではなく第３角度θ３及び第４角度θ４も、それぞれ４５°以上の鋭角である方が望ましい。本変形例４において、第１角度θ１、第２角度θ２、第３角度θ３、及び第４角度θ４は、同一の角度である。
【００８２】
ここで、複数の第１配線Ｗ１、複数の第２配線Ｗ２、及び第３配線Ｗ３を屈曲させる理由について説明する。図１１は、第１配線Ｗ１、第２配線Ｗ２、及び第３配線Ｗ３を除き、図１０に示した第１基板ＳＵＢ１を示す平面図である。図１１には、便宜上、第１端部Ｅ１と第２端部Ｅ２とを一直線に結ぶ仮想線Ｌｉを示している。
【００８３】
図１１に示すように、本変形例４の仮想線Ｌｉは、仮想線Ｌｉ１、仮想線Ｌｉ２、及び仮想線Ｌｉ３に分類される。仮想線Ｌｉ１は、第３配線Ｗ３の第１端部Ｅ１と第２端部Ｅ２とを一直線に結んでいる。仮想線Ｌｉ１は、第１軸ＡＸ１に平行である。仮想線Ｌｉ２は、各々の第１配線Ｗ１の第１端部Ｅ１と第２端部Ｅ２とを一直線に結んでいる。仮想線Ｌｉ２は、第１軸ＡＸ１に対して第２回転方向ｄｒ２に第２角度θ２未満傾斜している。仮想線Ｌｉ３は、各々の第２配線Ｗ２の第１端部Ｅ１と第２端部Ｅ２とを一直線に結んでいる。仮想線Ｌｉ３は、第１軸ＡＸ１に対して第１回転方向ｄｒ１に第４角度θ４未満傾斜している。上記のことから、第１配線Ｗ１、第２配線Ｗ２、及び第３配線Ｗ３に屈曲部を持たせることにより、信頼性の高い第１配線Ｗ１を得ることができる。
【００８４】
上記のように構成された第１の実施形態の変形例４に係る表示装置ＤＳＰにおいても、上記第１の実施形態と同様の効果を得ることができる。複数の配線Ｗの負荷は、中央の第３配線Ｗ３を基準に左右対称に変化する。そのため、表示パネルＰＮＬが表示する画像に生じ得る表示ムラの発生を抑制することができる。
【００８５】
（比較例１）  
次に、比較例１に係る表示装置について説明する。図１２は、比較例１に係る表示装置ＤＳＰの表示パネルＰＮＬの第１基板ＳＵＢ１の一部を示す平面図であり、折り曲げ領域ＢＡなどを示す図である。なお、図１２では、折り曲げ領域ＢＡが折り曲げられる前の状態を示している。
【００８６】
図１２に示すように、複数の配線Ｗは、複数の第１配線Ｗ１、第４配線Ｗ４、及び第５配線Ｗ５を有している。比較例１の複数の第１配線Ｗ１は、屈曲していない点で、上記第１の実施形態と相違している。複数の第１配線Ｗ１としては、第１軸ＡＸ１に平行な第１配線Ｗ１、第１軸ＡＸ１に対して第１回転方向ｄｒ１に第１角度θ１未満傾斜している第１配線Ｗ１、及び第１軸ＡＸ１に対して第２回転方向ｄｒ２に第２角度θ２未満傾斜している第１配線Ｗ１が挙げられる。例えば、比較例１の複数の第１配線Ｗ１の軌道は、図６に示した複数の仮想線Ｌｉの軌道と一致している。  
比較例１において、信頼性の高い第１配線Ｗ１を得ることは困難である。なぜなら、折り曲げ軸ＡＸｂに対する第１配線Ｗ１の傾斜角が大きくなり過ぎるためである。
【００８７】
（比較例２）  
次に、比較例２に係る表示装置について説明する。図１３は、比較例２に係る表示装置ＤＳＰの表示パネルＰＮＬの第１基板ＳＵＢ１の一部を示す平面図であり、折り曲げ領域ＢＡなどを示す図である。なお、図１３では、折り曲げ領域ＢＡが折り曲げられる前の状態を示している。
【００８８】
図１３に示すように、複数の配線Ｗは、複数の第１配線Ｗ１、第４配線Ｗ４、及び第５配線Ｗ５を有している。比較例１の各々の配線Ｗがジグザグパターンの線である点で、上記第１の実施形態と相違している。比較例１の各々の配線Ｗは、対応する第１端部Ｅ１と第２端部Ｅ２との間を折れ曲がりながら延在している。  
比較例２において、信頼性の高い配線Ｗを得ることは困難である。なぜなら、配線Ｗに屈曲部が、多数、存在しているためである。
【００８９】
（第２の実施形態）  
次に、第２の実施形態に係る表示装置ＤＳＰについて説明する。第２の実施形態に係る表示装置ＤＳＰは、後述する点以外、上記第１の実施形態と同様に構成されている。図１４は、第２の実施形態に係る表示装置ＤＳＰの表示パネルＰＮＬの第１基板ＳＵＢ１の一部を示す平面図であり、折り曲げ領域ＢＡなどを示す図である。なお、図１４では、折り曲げ領域ＢＡが折り曲げられる前の状態を示している。
【００９０】
図１４に示すように、複数の第１端部Ｅ１は、第２軸ＡＸ２に平行な方向に等間隔に配置されている。複数の第２端部Ｅ２は、第２軸ＡＸ２に平行な方向に等間隔に配置されている。本実施形態において、複数の第２端部Ｅ２の間隔Ｓ２は、複数の第１端部Ｅ１の間隔Ｓ１と同一である。
【００９１】
複数の配線Ｗは、複数の第１配線Ｗ１と、第２配線Ｗ２と、第３配線Ｗ３と、を有している。各々の第１配線Ｗ１は、表示領域ＤＡ側に位置した第１直線部Ｗ１ａと、第１直線部Ｗ１ａよりパッド領域ＭＴ側に位置した第２直線部Ｗ１ｂと、第１直線部Ｗ１ａと第２直線部Ｗ１ｂとに直に接続された第３直線部Ｗ１ｃと、を含んでいる。第２配線Ｗ２は、パッド領域ＭＴ側に位置した第２直線部Ｗ２ｂと、表示領域ＤＡ側に位置し第２直線部Ｗ２ｂに直に接続された第３直線部Ｗ２ｃと、を含んでいる。第３配線Ｗ３は、表示領域ＤＡ側に位置した第１直線部Ｗ３ａと、パッド領域ＭＴ側に位置し第１直線部Ｗ３ａに直に接続された第３直線部Ｗ３ｃと、を含んでいる。第３配線Ｗ３は、複数の第１配線Ｗ１に対して第２配線Ｗ２の反対側に位置している。
【００９２】
複数の第１配線Ｗ１及び第３配線Ｗ３の複数の第１直線部Ｗ１ａ，Ｗ３ａは、それぞれ第１方向ｄ１に延在し、第１方向ｄ１に直交する第２方向ｄ２に間隔を置いて並べられている。第１方向ｄ１は、第１軸ＡＸ１に対して第１回転方向ｄｒ１に鋭角である第１角度θ１傾斜した方向である。  
複数の第１配線Ｗ１及び第２配線Ｗ２の複数の第２直線部Ｗ１ｂ，Ｗ２ｂは、それぞれ第３方向ｄ３に延在し、第３方向ｄ３に直交する第４方向ｄ４に間隔を置いて並べられている。第３方向ｄ３は、第１軸ＡＸ１に対して第１回転方向ｄｒ１に鋭角である第２角度θ２傾斜した方向である。  
複数の第１配線Ｗ１、第２配線Ｗ２、及び第３配線Ｗ３の複数の第３直線部Ｗ１ｃ，Ｗ２ｃ，Ｗ３ｃは、それぞれ第５方向ｄ５に延在し、第５方向ｄ５に直交する第６方向ｄ６に間隔を置いて並べられている。第５方向ｄ５は、第１軸ＡＸ１に対して第２回転方向ｄｒ２に鋭角である第３角度θ３傾斜した方向である。
【００９３】
複数の第１直線部Ｗ１ａ，Ｗ３ａの長さは、第２方向ｄ２に次第に変化している。複数の第２直線部Ｗ１ｂ，Ｗ２ｂの長さは、第６方向ｄ６に次第に変化している。各々の第１配線Ｗ１において、第１直線部Ｗ１ａの長さが相対的に短い場合第２直線部Ｗ１ｂの長さは相対的に長く、第１直線部Ｗ１ａの長さが相対的に長い場合第２直線部Ｗ１ｂの長さは相対的に短い。例えば、複数の第３直線部Ｗ１ｃ，Ｗ２ｃ，Ｗ３ｃの長さは、同一である。
【００９４】
本実施形態において、第１角度θ１、第２角度θ２、及び第３角度θ３は、同一の角度である。配線Ｗは、第１軸ＡＸ１に対して傾斜して延在しているため、折り曲げ領域ＢＡにおいて信頼性の高い配線Ｗを得ることができる。信頼性の高い配線Ｗを得る観点から、例えば、第１角度θ１、第２角度θ２、及び第３角度θ３は、それぞれ４５°以上の鋭角である方が望ましい。
【００９５】
第２配線Ｗ２は、第２配線Ｗ２の第３直線部Ｗ２ｃと第２直線部Ｗ２ｂとの接続部Ｊ２で屈曲している。第３配線Ｗ３は、第３配線Ｗ３の第３直線部Ｗ３ｃと第１直線部Ｗ３ａとの接続部Ｊ３で屈曲している。  
複数の第１配線Ｗ１は、第１基準線Ｌｒ１上と、第２基準線Ｌｒ２上とで、屈曲している。第１基準線Ｌｒ１は、第２配線Ｗ２の第１端部Ｅ１と接続部Ｊ３とを通り、一直線に延在している。第２基準線Ｌｒ２は、第３配線Ｗ３の第２端部Ｅ２と接続部Ｊ２とを通り、一直線に延在している。
【００９６】
ここで、複数の配線Ｗを屈曲させる理由について説明する。図１５は、配線Ｗを除き、図１４に示した第１基板ＳＵＢ１を示す平面図である。図１５には、便宜上、各々の配線Ｗの第１端部Ｅ１と第２端部Ｅ２とを一直線に結ぶ仮想線Ｌｉ１を示している。  
図１５に示すように、仮想線Ｌｉ１は、第１軸ＡＸ１に平行である。上記のことから、配線Ｗに屈曲部を持たせることにより、信頼性の高い配線Ｗを得ることができる。
【００９７】
上記のように構成された第２の実施形態に係る表示装置ＤＳＰによれば、表示装置ＤＳＰは、折り曲げ領域ＢＡを延在する複数の配線Ｗを備えている。配線Ｗは、第１角度θ１傾斜した直線部、及び第２角度θ２傾斜した直線部を含み、屈曲している。各々の配線Ｗの屈曲部（屈曲点）を、２個以下に抑えることができる。
【００９８】
上記のことから、折り曲げ領域ＢＡに信頼性の高い配線Ｗを有する表示装置ＤＳＰを得ることができる。また、表示パネルＰＮＬを折り曲げ領域ＢＡにて折り曲げる工程において、配線Ｗの破損を抑制することができる。そのため、製造歩留まりの高い表示装置ＤＳＰを得ることができる。
【００９９】
（第２の実施形態の変形例１）  
次に、第２の実施形態の変形例１に係る表示装置について説明する。図１６は、上記第２の実施形態の変形例１に係る表示装置ＤＳＰの表示パネルＰＮＬの第１基板ＳＵＢ１の一部を示す平面図であり、折り曲げ領域ＢＡなどを示す図である。なお、図１６では、折り曲げ領域ＢＡが折り曲げられる前の状態を示している。本変形例１の折り曲げ領域ＢＡの第１軸ＡＸ１に沿った長さは、上記第２の実施形態と比較して長い。
【０１００】
図１６に示すように、本変形例１の複数の配線Ｗのレイアウトの手法は、上記第２の実施形態と同様である。但し、本変形例１の折り曲げ領域ＢＡは長いため、複数の第１配線Ｗ１、第２配線Ｗ２、及び第３配線Ｗ３の複数の第３直線部Ｗ１ｃ，Ｗ２ｃ，Ｗ３ｃは、密集し易くなる。複数の第３直線部Ｗ１ｃ，Ｗ２ｃ，Ｗ３ｃの第６方向ｄ６の間隔は、上記第２の実施形態と比較して狭くなる。そのため、配線ＷのＬ／Ｓ（Line & Space）が基準値を超えない範囲で、折り曲げ領域ＢＡの長さを調整すればよい。なお、上記Ｌ／Ｓは、配線Ｗ（直線部）の幅の中心同士の距離を表す。  
上記のように構成された第２の実施形態の変形例１に係る表示装置ＤＳＰにおいても、上記第２の実施形態と同様の効果を得ることができる。
【０１０１】
（第２の実施形態の変形例２）  
次に、第２の実施形態の変形例２に係る表示装置について説明する。図１７は、上記第２の実施形態の変形例２に係る表示装置ＤＳＰの表示パネルＰＮＬの第１基板ＳＵＢ１の一部を示す平面図であり、折り曲げ領域ＢＡなどを示す図である。なお、図１７では、折り曲げ領域ＢＡが折り曲げられる前の状態を示している。本変形例２の折り曲げ領域ＢＡの第１軸ＡＸ１に沿った長さは、上記第２の実施形態の比較例１と比較して長い。
【０１０２】
図１７に示すように、複数の配線Ｗは、複数の配線群ＷＧを有している。複数の配線Ｗは、複数の配線群ＷＧを第１軸ＡＸ１に平行な方向にｎ回繰り返し並べて構成されている。上記ｎは、２以上の整数である。本変形例２において、ｎは２である（ｎ＝２）。各々の配線群ＷＧは、複数の第１配線Ｗ１、第２配線Ｗ２、及び第３配線Ｗ３を含んでいる。
【０１０３】
一方の配線群ＷＧの第１配線Ｗ１は、他方の配線群ＷＧの第１配線Ｗ１に直に接続されている。それら２個の第１配線Ｗ１は、同一の形状を有している。一方の配線群ＷＧの第２配線Ｗ２は、他方の配線群ＷＧの第２配線Ｗ２に直に接続されている。それら２個の第２配線Ｗ２は、同一の形状を有している。一方の配線群ＷＧの第３配線Ｗ３は、他方の配線群ＷＧの第３配線Ｗ３に直に接続されている。それら２個の第３配線Ｗ３は、同一の形状を有している。
【０１０４】
上記のように構成された第２の実施形態の変形例１に係る表示装置ＤＳＰにおいても、上記第２の実施形態と同様の効果を得ることができる。そして、折り曲げ領域ＢＡが長くなる場合であっても、配線Ｗの傾斜角を第１角度θ１、第２角度θ２、及び第３角度θ３に保つことができ、配線Ｗの屈曲部の個数を抑えることができ、配線ＷのＬ／Ｓが基準値を超えない範囲に抑えることができる。
【０１０５】
（第２の実施形態の変形例３）  
次に、第２の実施形態の変形例３に係る表示装置について説明する。図１８は、上記第２の実施形態の変形例３に係る表示装置ＤＳＰの表示パネルＰＮＬの第１基板ＳＵＢ１の一部を示す平面図であり、折り曲げ領域ＢＡなどを示す図である。なお、図１８では、折り曲げ領域ＢＡが折り曲げられる前の状態を示している。
【０１０６】
図１８に示すように、本変形例３の複数の配線Ｗのレイアウトの手法は、上記第２の実施形態と同様である。但し、本変形例３において、複数の第２端部Ｅ２の間隔Ｓ２は、複数の第１端部Ｅ１の間隔Ｓ１より狭い。そのため、複数の第３直線部Ｗ１ｃ，Ｗ２ｃ，Ｗ３ｃの長さは、第６方向ｄ６に次第に変化している。各々の第１配線Ｗ１において、第１直線部Ｗ１ａの長さが相対的に短い場合第３直線部Ｗ１ｃの長さは相対的に長く、第１直線部Ｗ１ａの長さが相対的に長い場合第３直線部Ｗ１ｃの長さは相対的に短い。  
上記のように構成された第２の実施形態の変形例３に係る表示装置ＤＳＰにおいても、上記第２の実施形態と同様の効果を得ることができる。
【０１０７】
ここで、上記第２の実施形態においても、図１２に示したように、屈曲しておらず、傾斜角が第１角度θ１、第２角度θ２、及び第３角度θ３未満である配線Ｗを用いることは望ましくない。また、上記第２の実施形態においても、図１３に示したように、ジグザグパターンの配線Ｗを用いることは望ましくない。これらの場合、信頼性の高い配線Ｗを得ることは困難である。
【０１０８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１０９】
例えば、複数の第１端部Ｅ１の間隔Ｓ１は、信号線６の間隔にもよるが、均等な間隔ではなく、不均等な間隔であってもよい。また、複数の第２端部Ｅ２の間隔Ｓ２は、均等な間隔ではなく、不均等な間隔であってもよい。  
上述した表示パネル及び表示装置は、有機ＥＬ表示パネル及び有機ＥＬ表示装置に限定されるものではない。例えば、上述した実施形態は、電気光学素子として液晶素子を有する液晶表示パネル及び液晶表示装置に適用することも可能である。その場合、表示パネルＰＮＬは、液晶表示パネルであり、例えば、第１基板ＳＵＢ１と、第２基板と、第１基板と第２基板との間に保持された液晶層と、必要に応じて液晶層の上下両方に偏光板を備えている。
【符号の説明】
【０１１０】
ＤＳＰ…表示装置、ＰＮＬ…表示パネル、ＳＵＢ１…第１基板、１０…第１絶縁基板、
ＤＡ…表示領域、ＮＤＡ…非表示領域、ＢＡ…折り曲げ領域、ＭＴ…パッド領域、
Ｗ，Ｗ１，Ｗ２，Ｗ３，Ｗ４，Ｗ５，Ｗ６，Ｗ７…配線、  Ｅ１，Ｅ２…端部、
Ｗ１ａ，Ｗ１ｂ，Ｗ１ｃ，Ｗ２ａ，Ｗ２ｂ，Ｗ２ｃ，Ｗ３ａ，Ｗ３ｂ，Ｗ３ｃ…直線部、
ＷＧ…配線群、Ｊ２，Ｊ３…接続部、ＡＸ１，ＡＸ２，ＡＸｂ…軸、
ｄ１，ｄ２，ｄ３，ｄ４，ｄ５，ｄ６，ｄ７，ｄ８…方向、ｄｒ１，ｄｒ２…回転方向、
θ１，θ２，θ３，θ４…角度、Ｓ１，Ｓ２…間隔、Ｐｒ１，Ｐｒ２，Ｐｒ３…基準点、
Ｌｒ１，Ｌｒ２，Ｌｒ３，Ｌｒ４，Ｌｒ５，Ｌｒ６，Ｌｒ７，Ｌｒ８，Ｌｒ９，Ｌｒ１０…基準線、Ｌｉ，Ｌｉ１，Ｌｉ２，Ｌｉ３…仮想線。
【図１】
2019159123.tif 000003
【図２】
2019159123.tif 000004
【図３】
2019159123.tif 000005
【図４】
2019159123.tif 000006
【図５】
2019159123.tif 000007
【図６】
2019159123.tif 000008
【図７】
2019159123.tif 000009
【図８】
2019159123.tif 000010
【図９】
2019159123.tif 000011
【図１０】
2019159123.tif 000012
【図１１】
2019159123.tif 000013
【図１２】
2019159123.tif 000014
【図１３】
2019159123.tif 000015
【図１４】
2019159123.tif 000016
【図１５】
2019159123.tif 000017
【図１６】
2019159123.tif 000018
【図１７】
2019159123.tif 000019
【図１８】
2019159123.tif 000020